(57)【特許請求の範囲】
【請求項１】
発泡性液体を収容する瓶（３）の内容物の噴射装置（１）であって、該装置が、
閉塞兼拡散用ガスケット（２）であって、少なくとも一つの拡散用開口部を備え、また前記瓶が栓を抜かれて噴射位置に配置されるとき瓶（３）の首（５）の周りに弾性的に締め付けられるのに適し、かつ前記閉塞兼拡散用ガスケットがこのように締め付けられるとき瓶の口（７）を塞ぐのに適した閉塞兼拡散用ガスケット、および、
閉塞兼拡散用ガスケット（２）と連動し、また瓶が噴射位置にあるときの瓶用の第一の把持手段（６）を含む、把持部を形成する少なくとも一つの第一の部分（８）を含み、
前記装置が、利用者による第一の把持部分（６）の動きを受けて、選択された大きさ、継続時間および距離の発泡性液体ジェットを生じさせることを可能にすることを特徴とする、発泡性液体を収容する瓶の内容物の噴射装置。
【請求項２】
把持部を形成する第一の部分が、第一の嵌合手段（８）をそのうえ含み、また前記装置が、把持部を形成する第二の部分（１２）をそのうえ含み、該把持部を形成する第二の部分が、瓶が噴射位置に配置されるとき第一の嵌合手段（８）と嵌合するように適合した第二の嵌合手段（１２）と、第二の嵌合手段（１２）と連動する第二の把持手段（１６）とを具備するものであり、前記装置が、利用者による、互いにこのように嵌合される第一および／または第二の把持部分（６および１６）の動きを受けて、選択された大きさ、継続時間および距離の発泡性液体ジェットを生じさせることを可能にすることを特徴とする、請求項１に記載の装置。
【請求項３】
閉塞兼拡散用ガスケット（２）が、単一成型にまたエラストマータイプの柔軟材料で製作される、請求項１または２に記載の装置。
【請求項４】
閉塞兼拡散用ガスケット（２）が、瓶の栓抜き後の噴射位置にある前記瓶の首の周りに弾性的に締め付けられるように適合した取付け用部分（２３）と、噴射位置に配置される瓶の口を閉じるように適合した閉塞／拡散用部分（２１）とを含むことを特徴とする、請求項１から３のいずれか一つに記載の装置。
【請求項５】
ガスケットが、複数の拡散用開口部（２０）を含む、請求項１から４のいずれか一つに記載の装置。
【請求項６】
把持部を形成する第一の部分が、噴射位置にある瓶の首の周りへの閉塞兼拡散用ガスケットの取付けをきつく締め付けられた状態かつ密閉状態のままに保つための、締付け手段（２８）をそのうえ含む、請求項１に記載の装置。
【請求項７】
把持部を形成する第二の部分が、噴射位置にある瓶の胴部の保持手段（１８）をそのうえ含むことを特徴とする、請求項２に記載の装置。
【請求項８】
第一の嵌合手段が、選択された長さおよび直径の管（８）を含む一方で、第二の嵌合手段が、瓶が噴射位置にあるとき互いに嵌合するために管と対になる形の補強棒（１２）を含む、請求項２に記載の装置。
【請求項９】
第一および第二の把持手段（６および１６）が、グリップの形である、請求項２に記載の装置。
【請求項１０】
請求項１から９のいずれか一つに記載の噴射装置用に適合した閉塞兼拡散用ガスケット（２）であって、前記ガスケットが、瓶（３）の栓抜き後の噴射位置にある前記瓶の首（５）の周りに弾性的に締め付けられることができ、かつ噴射位置に配置される瓶の口（７）を閉じることができ、前記ガスケット（２）が、少なくとも一つの拡散用開口部（２０）を備えることを特徴とする、閉塞兼拡散用ガスケット。
【発明の詳細な説明】
【技術分野】
【０００１】
本発明は、シャンパンのような発泡性液体を収容する瓶の内容物の噴射装置および前記装置用に適合した閉塞兼拡散用ガスケットに関するものである。
【０００２】
本発明は、娯楽用小道具、またより詳細にはシャンパンのような液体ジェットと結びついた娯楽用小道具における一般的な用途を見出す。
【０００３】
シャンパンシャワーまたはシャンパンジェットによって会食者に「水を撒く」余興は、伝統的に祝宴および祝賀の世界の一部を成すものである。この余興は、両手（ごく稀には、片手のみ）を使って瓶を激しく振ることによって、瓶の内部圧力が液体ジェットの噴射を引き起こすように、シャンパン（または他のあらゆる発泡性液体）の開いた瓶の口を、開いたままになっている口の領域を「つまむ」ような仕方で、親指を使って、部分的に塞ぐことによって通常は行われ、液体ジェットの長さおよび幅は、開いたままにされた口の領域の大きさおよび形にならびに「揺する」力に依ることになる。
【０００４】
本出願人は、この水撒きの余興をさらによりお祭り的で、より確実で、またより楽しいものにするように、短機関銃のような小火器の形および作法を取り入れつつシャンパン（または他のあらゆる発泡性液体）の瓶を主体にした従来の水撒きの余興を再現する、娯楽用小道具を提案するという問題を自らに課したのである。
【０００５】
本発明は、この問題にまさに一解決案をもたらすものである。
【０００６】
本発明は、発泡性液体を収容する瓶の内容物の噴射装置を対象とする。
【０００７】
本発明の全体的な説明によると、噴射装置は、閉塞兼拡散用ガスケットであって、少なくとも一つの拡散用開口部を備え、また瓶が栓を抜かれて噴射位置に配置されるとき前記瓶の首の周りに弾性的に締め付けられるのに適し、かつ前記閉塞兼拡散用ガスケットがこのように締め付けられるとき瓶の口を塞ぐのに適した閉塞兼拡散用ガスケット、および、閉塞兼拡散用ガスケットと連動し、また瓶が噴射位置にあるときの瓶の第一の把持手段を含む、把持部を形成する少なくとも一つの第一の部分を含み、前記装置は、利用者による第一の把持部分の動きを受けて、選択された大きさ、継続時間および距離の発泡性液体ジェットを生じさせることを可能にする。
【０００８】
一実施形態によると、把持部を形成する第一の部分は、第一の嵌合手段をそのうえ含み、また前記装置は、把持部を形成する第二の部分をそのうえ含み、該把持部を形成する第二の部分は、瓶が噴射位置に配置されるとき第一の嵌合手段と嵌合するように適合した第二の嵌合手段と、第二の嵌合手段と連動する第二の把持手段とを具備するものであり、前記装置は、利用者による、互いにこのように嵌合される第一および／または第二の把持部分の動きを受けて、選択された大きさ、継続時間および距離の発泡性液体ジェットを生じさせることを可能にする。
【０００９】
噴射装置は、口のところでの閉鎖による密閉性を保証しつつ、ならびに利用者および周囲の人達にとって危険のない、数メートル（例えば５ｍ）の距離で数秒（例えば１０秒）の継続時間のジェット状の液体の噴射を保証しつつ、瓶を挿入しまた強固に保持することをこのように可能にする。
【００１０】
一実施形態によると、閉塞兼拡散用ガスケットは、単一成型にまたエラストマータイプの柔軟材料で製作される。
【００１１】
実際には、閉塞兼拡散用ガスケットは、瓶の栓抜き後の噴射位置にある前記瓶の首の周りに弾性的に締め付けられるように適合した取付け用部分と、噴射位置に配置される瓶の口を閉じるように適合した閉塞／拡散用部分とを含む。
【００１２】
代案として、ガスケットは、複数の拡散用開口部を含む。
【００１３】
別の一実施形態によると、把持部を形成する第一の部分は、噴射位置にある瓶の首の周りへの閉塞兼拡散用ガスケットの取付けをきつく締め付けられた状態かつ密閉状態のままに保つための、締付け手段をそのうえ含む。
【００１４】
さらに別の一実施形態によると、把持部を形成する第二の部分は、噴射位置にある瓶の胴部の保持手段をそのうえ含む。
【００１５】
実際には、第一の嵌合手段は、選択された長さおよび直径の管を含む一方で、第二の嵌合手段は、瓶が噴射位置にあるとき互いに嵌合するために管と対になる形の補強棒を含む。
【００１６】
さらに別の一実施形態によると、第一の嵌合手段は、第一の把持手段と連動する一方で、第二の嵌合手段は、第二の把持手段と連動する。
【００１７】
例えば、第一および第二の把持手段は、グリップの形である。
【００１８】
本発明はまた、本発明に従った噴射装置用に適合した閉塞兼拡散用ガスケットも目的としている。本発明の別の見地によると、前記ガスケットは、瓶の栓抜き後の噴射位置にある前記瓶の首の周りに弾性的に締め付けられることができ、かつ噴射位置に配置される瓶の口を閉じることができ、前記ガスケットは、少なくとも一つの拡散用開口部を備える。
【００１９】
本発明の他の特徴および利点は、以下の詳細な説明および次のような図面を手懸りとして明らかになるであろう。
【図面の簡単な説明】
【００２０】
【図１】瓶が配置されて閉鎖位置にある噴射装置の３Ｄでの全体図である。
【図２】本発明に従った噴射装置を構成する主要要素の分解組立図である。
【図３】瓶が配置されて閉鎖位置にある噴射装置の断面図である。
【図４Ａ．４Ｂ．４Ｃ】本発明に従った閉塞兼拡散用ガスケットの詳細図である。
【図５】瓶の上への、噴射装置の閉鎖ステップを示している。
【図６】本発明による第一の把持部分に収められる嵌合用ガイドレールを概略的に示している。
【図７】閉鎖位置にある噴射装置の断面図である。
【発明を実施するための形態】
【００２１】
図１、図２および図３を参照して、噴射装置１は、閉塞兼拡散用ガスケット２、および、閉塞兼拡散用ガスケット２と連動する、把持部を形成する少なくとも一つの第一の部分４を含む（片手だけで把持する形態）。有利には、噴射装置は、瓶３が配置されるとき閉鎖位置にある把持用第一の部分４の中に嵌合する、把持部を形成する第二の部分１０をそのうえ含む（両手で把持する形態）。
【００２２】
瓶３は、シャンパンのような発泡性液体を収容する。瓶３の容量は、２５ｃｌ、３３ｃｌ、３７．５ｃｌ、７５ｃｌ、１５０ｃｌまたはそれ以上であり得る。
【００２３】
以下でより詳細に記述されるように、ガスケット２は、瓶の栓抜き後の噴射位置に配置される前記瓶３の首５の周りに弾性的に締め付けられるように適合している。ガスケット２はそのとき、噴射位置にこのように配置される瓶３の口７を閉じる。
【００２４】
把持部を形成する第一の部分４は、噴射位置に配置される瓶用の第一の把持手段６（短機関銃の形の装置の場合における前部グリップ）、および第一の嵌合手段８を含む。把持部を形成する第二の部分１０は、瓶が噴射位置に配置されるとき閉鎖位置で第一の嵌合手段８と嵌合するように適合した第二の嵌合手段（補強パイプ）１２、および第二の嵌合手段１２と連動する第二の把持手段１６（後部グリップ）を含む。
【００２５】
瓶が噴射位置に配置されると閉鎖位置にこのように組み立てられる装置は（図１）、利用者によって把持される前部グリップ６および／または後部グリップ１６の動きを受けて、選択された大きさ、継続時間および距離の発泡性液体ジェットを生じさせることを可能にする。
【００２６】
中央環を有する短機関銃の姿で、装置１の後部部分は、後部グリップ１６と、瓶の保持用の中央環１８と、補強棒１２とから成り、一方、装置１の前部部分は、前部グリップ６と、銃身または中空管８とから成る。
【００２７】
図３を参照して装置１は、閉鎖位置である。パイプ１２は、装置１を補強することを可能にする。例えば、硬いパイプ１２は、鋼鉄で製作され、該パイプは、中空または中実であり得る。瓶は、瓶の底部９と対になる形の隆起部分１７を有する後部グリップ１６を使用して機械的に保持される。
【００２８】
図４Ａ、図４Ｂおよび図４Ｃを参照して、閉塞兼拡散用ガスケット２は、単一成型に製作される。それは、噴射装置の主要部品である。好ましくは、ガスケットは、閉鎖の時に瓶の首５の上に入り込んで「締まる」ように柔軟材料で製作される。材料の柔軟性と剛性との妥協もまた、圧力下の液体の噴射の際の部品の変形を制御するために重大である。この観点で、ガスケット２のところの構造は、変形の場所に、補強として、ガスケットの上または中に配置される単数または複数の保持用部品（例えば、図４Ｂおよび図４Ｃの締付けリング２８）を用いて補強されることができる。
【００２９】
例えば、ガスケット２は、エラストマー製であり、首５および口３に圧力をかけた状態に維持される。液体ジェットは、瓶３の口７の出口と向かい合うガスケット２の前部表面２１に作り出される単数または複数の開口部２０を通ってのみガスケットから外に出ることができる。エラストマー製品は、密閉することを目的とした口のガラスと密着するその性質のために選択された。突き出た構成要素２２は、ガスケットと把持用第一の部分４との連動を容易にするように、ガスケット２の取付け用部分２３の上に設けられることができる。これらの構成要素２２は、ガスケットを外して、該ガスケットを、例えばジェットの異なる特徴（幅がより広くて継続時間がより短いジェット、または幅がより狭くて継続時間がより長いジェット）を得るための別のバージョンのガスケットと、または注入装置タイプのバージョンと交換するのに役立つこともできる。
【００３０】
ガスケット２の前部面（閉塞用部分）２１にある開口部２０は、液体ジェットの強さおよび方向を制御することを可能にする。ジェットの距離および全体の形、ならびに余興の継続時間は、口のところの密閉性に加えて、該開口部の特徴（数、直径、配列）に依る。例として、「標準の」利用条件において、５〜６メートルの距離を超えるジェットのために、また最低１５秒の連続ジェットの余興継続時間のために、開口部２０は、ただ一つかつ１．５ｍｍ以下の直径であり得る。
【００３１】
一実施変形例において、より短い、より幅の広い、またより拡散するジェットが、単数または複数の孔２０を付け加えることによって得られることができるが、該孔は、中心の孔以下の直径であり、また中心の孔の周囲に並べられる。
【００３２】
図５を参照して、第一の部分４および第二の部分１０は、硬いパイプ１２が銃身（中空管）８の中に挿入されて嵌合されるところである。瓶３の胴部１１は、保持用の中央環１８の中に挿入される。瓶は、あらかじめ開いている（栓を抜かれている）。噴射装置の閉鎖は、装置の後部部分１０において、銃身８が、鋼鉄製の補強パイプ１２の上を、保持用クリップ１３までスライドすることによって行われる。「クリップで留められた」位置で、瓶３は、中央で保持用の環１８によって、下部で後部グリップ１６の原型上にあるストッパ１７によって、そして上部で、前部の銃身１２が装置を保持するために閉じられるとき瓶３を密閉するようになる拡散用ガスケット２の中で強固に保持されている。
【００３３】
図６および図７を参照して、並進運動３０および回転運動３２のガイドレールシステムが、補強パイプ１２において加工されている。ガイドレールシステムは、前部部分の回転運動３２と組み合わされる、前部部分８の前／後ろへの並進運動３０によって装置の開放および閉鎖を可能にするものであり、瓶の挿入のために後部部分１０の保持用の環１８を完全に解放すること、また瓶３がひとたび配置されると閉鎖軸上に戻ることを可能にする。案内突起３４は、前部部分１２の内部面に取り付けられる。前部部分が噴射装置を開ける／閉じるために手で扱われるとき、案内突起３４は、前／後ろに向かってガイドレール３０を、またパイプ１２の軸を中心に回転して動く。
【００３４】
図７を参照して、装置１は、瓶３が噴射位置に配置されて閉鎖位置にある。
【００３５】
このような装置「シャンパン短機関銃」の実施は、次のように成される。
【００３６】
まず初めに、パイプ１２の上で前に向かって前部部分８を並進運動によりストッパ３４までスライドさせることによって、次いで該前部部分をパイプ１２の軸を中心に十分な角度だけ（およそ６０度）回転させることによって装置１を開ける。並進運動／回転運動のこの動きは、あらかじめ開けられた瓶を、口を上の方にして垂直（またはほぼ垂直）に降ろしながら、保持用の中央環の中に挿入することができるように、保持用の中央環１８を解放することを可能にする。瓶は、ひとたび配置されると、後部グリップ１６の上に載置され、また中央環１８によって保持されている。閉鎖は、後部グリップ１６の軸上に前部グリップ６を戻すように、前部部分８を回転させることによって行われる。この位置は、前部部分８および後部部分１２に配置される誤操作防止装置（非表示）によって容易になり得るものであり、該誤操作防止装置は、二つの部分１２および８の嵌合による閉鎖を、正確な整列がひとたび成されてからしか許可しないものである。ひとたびこの整列が得られると、あとは前部部分８を、補強パイプ１２の後ろに向かって（または内側に向かって）、前部部分８および後部部分１２の完全な嵌合までスライドさせるだけである。この完全な閉鎖は、例えば、元のように閉じる単数または複数のクリップ１３によって具現され得る。良好な閉鎖はそのとき、瓶の口７への拡散用ガスケット２の適正な位置決め、および装置の機械的保持を意味する。ひとたび閉じられると、利用者は、液体ジェットの形成まで装置を力強く一回または数回振ることにより余興を始めるが、また必要であれば、振り続けることにより、瓶の内部圧力が弱すぎて液体ジェットを適切に維持することができなくなるまで継続することができる。
【００３７】
変形例として、後部部分１２から切り離される、装置１の前部部分８を準備することができる。あらかじめ開けられた瓶はそのとき、先の場合と同じように、垂直に降ろされて挿入されることができる。瓶がひとたび配置されると、閉鎖は、後部部分の補強パイプ１２の上に前部部分８を通すことによって、次いで、前に説明されたように、装置を整列させそして元のように閉じることによって成されることができる。
【００３８】
本発明の別の一変形実施例において、保持用の環１８の解放は、後部部分１２の「銃身」部分によって定義される軸と直交しかつ前部部分８と後部部分１２との間の合流点に位置する軸を中心にした、外側の方への前部部分８の回転によって実現され得る。先に記述されたように瓶がひとたび挿入されると、装置の閉鎖は、同じ軸を中心にして、逆方向に（内側の方へ）、前部部分８が瓶３の口７を閉じるまで前部部分８を回転させることによって行われ得る。
【００３９】
本発明は、上述された実施形態に限定されることなく、このように記述された発明概念に含まれるすべての実施形態を包含するものである。
【符号の説明】
【００４０】
１  噴射装置
２  閉塞兼拡散用ガスケット
３  瓶
４  第一の部分
５  首
６  第一の把持手段
７  口
８  第一の嵌合手段
【図１】
0006689957.tif 000002
【図２】
0006689957.tif 000003
【図３】
0006689957.tif 000004
【図４Ａ】
0006689957.tif 000005
【図４Ｂ】
0006689957.tif 000006
【図４Ｃ】
0006689957.tif 000007
【図５】
0006689957.tif 000008
【図６】
0006689957.tif 000009
【図７】
0006689957.tif 000010